(57)【要約】      （修正有）【課題】児童、幼児が頭部にかぶることで、頭部に受けた衝撃力を和らげることができ、且つロープの可動形態の結びによって帽体の形体を保つソフトキャップ構造を提供する。【解決手段】ソフトキャップ構造のソフトキャップ本体はソフトシート状本体１と複数のロープ６を含む。ソフトシート状本体はバイザー１１、キャップ縁部１２および複数のハギ部１５を含む。キャップ縁部の最上端は複数のハギ部が間隔を開けて延長し、バイザーからは支持段１１１が延び、支持段はキャップ縁部に当接する。複数のロープ孔５が各ハギ部の相互の辺縁、キャップ縁部とバイザーが相互に近づく辺縁、支持段に間隔を開けて分布し、複数のロープが可動形態で紐結びされ、ソフトキャップ本体の形体を保つのに用いられる。【選択図】図１
0003228855.tif 000002
【実用新案登録請求の範囲】
【請求項１】
ソフトキャップ構造において、そのうち、
前記ソフトキャップ本体はソフトシート状本体、複数のロープを含み、前記ソフトキャップ本体はキャップ頭頂点を位置づけ、前記ソフトシート状本体は、バイザー、キャップ縁部および複数のハギ部を含み、前記キャップ縁部は長方形状で、前記キャップ縁部で着用口を包囲形成し、前記キャップ縁部の最上端は前記複数のハギ部が間隔を開けて延長し、各ハギ部の幅は、底端から最上端へ錐体片形状で徐々に縮小し、前記複数のハギ部はそれぞれキャップ縁部からキャップ頭頂点へ向けて湾曲し、前記複数のハギ部と前記キャップ縁部は包囲して被覆し頭部着用空間を形成し，前記バイザーは円弧片形状で、前記バイザーの両端は前記キャップ縁部底端から外側に向けて湾曲延長して形成し，前記バイザーは前記キャップ縁部の一側に向けて上向きに湾曲する支持段を有し，前記支持段は前記キャップ縁部外側に当接し，他に複数のロープ孔は各ハギ部の相互辺縁、前記キャップ縁部と前記バイザーが相互に向かい合う辺縁、前記支持段に間隔をあけて分布設置し、前記複数のロープ孔は前記ソフトキャップ本体の形体を保つため、可動形態で紐結びされる前記複数のロープが設けられることを特徴とするソフトキャップ構造。
【請求項２】
前記ソフトキャップ構造は、更に弾性あご紐、ソフトストッパーを含み，前記ソフトストッパーは二個のストッパー用孔を穿設し、前記弾性あご紐は前記二個のストッパー用孔に通し、他に二個のあご紐連結孔はそれぞれ前記キャップ縁部両側に分布し、前記弾性あご紐の両端をそれぞれ前記二個のあご紐連結孔に通して結ぶことを特徴とする請求項１記載のソフトキャップ構造。
【請求項３】
前記ソフトシート状本体外側は、お絵かきエリアであることを特徴とする請求項１記載のソフトキャップ構造。
【請求項４】
前記ソフトキャップ構造は、他に複数の通気孔は前記複数のハギ部、キャップ縁部のうちのどちらかに分布するか、または前述二者どちらにも前記複数の通気孔が分布することを特徴とする請求項１記載のソフトキャップ構造。
【請求項５】
前記ソフトキャップ構造は、更に複数の強化クッションを含み、前記複数の強化クッションは前記複数のハギ部、前記キャップ縁部のうちのどちらか、または両者の外側に分布し、且つ前記複数の強化クッションはそれぞれ複数のクッション通孔を有し、前記複数のロープが前記複数のクッション通孔から前記複数の通気孔を通じ可動で紐結びされることを特徴とする請求項４記載のソフトキャップ構造。
【請求項６】
前記バイザーと前記支持段の間は分離切り線を有することを特徴とする請求項１記載のソフトキャップ構造。
【請求項７】
ソフトキャップ構造において、そのうち、
前記ソフトキャップ本体は上層ソフトキャップハギ片、中層ソフトキャップハギ片、下層ソフトキャップハギ片、ソフトキャップ縁片およびソフトキャップバイザーを含み、前記ソフトキャップ本体はキャップ頭頂点を位置づけ、前記ソフトキャップ縁片は細長形状で、前記ソフトキャップ縁片は着用口を囲んで成形し、前記下層ソフトキャップハギ片は細長形状で、前記下層ソフトキャップハギ片底部は前記ソフトキャップ縁片最上部に隣接し、且つ前記下層ソフトキャップハギ片の底部から最上部は徐々に前記キャップ頭頂点に向かって傾斜し、前記中層ソフトキャップハギ片は細長形状で、前記中層ソフトキャップハギ片底部は前記下層ソフトキャップハギ片の最上部に隣接し、且つ前記中層ソフトキャップハギ片の底部から最上部は前記キャップ頭頂点に向かって徐々に傾斜し最上口を包囲し、前記上層ソフトキャップハギ片は円形片で、前記上層ソフトキャップハギ片は前記最上口で封じ、前記ソフトキャップバイザーは円弧片形状で、その一側は内湾曲側とし、前記内湾曲側は前記ソフトキャップ縁片底部外側に当接し、他に複数のロープ孔は前記上層ソフトキャップハギ片辺縁、前記中層ソフトキャップハギ片の最上、底部辺縁、前記下層ソフトキャップハギ片の最上、底部辺縁、前記ソフトキャップ縁片最上部辺縁、前記ソフトキャップ縁片と前記ソフトキャップバイザーが互いに隣接する辺縁に間隔を開けて分布し，前記複数のロープ孔は前記ソフトキャップ本体の形体を保つため、可動形態で紐結びされる前記複数のロープが設けられることを特徴とするソフトキャップ構造。
【請求項８】
前記上層ソフトキャップハギ片、前記中層ソフトキャップハギ片、前記下層ソフトキャップハギ片、前記ソフトキャップ縁片および前記ソフトキャップバイザー外側はそれぞれお絵かきエリアを有することを特徴とする請求項７記載のソフトキャップ構造。
【請求項９】
前記ソフトキャップ構造は、更に弾性あご紐、ソフトストッパーを含み，前記ソフトストッパーは二個のストッパー用孔を穿設し、前記弾性あご紐は前記二個のストッパー用孔に通し、他に二個のあご紐連結孔は前記ソフトキャップ縁片の二側にそれぞれ分布し、前記弾性あご紐の両端をそれぞれ前記二個のあご紐連結孔に通して結ぶことを特徴とする請求項７記載のソフトキャップ構造。
【請求項１０】
前記ソフトキャップ構造は、更には複数の強化クッションを含み、前記複数の強化クッションは、前記上層ソフトキャップハギ片、前記中層ソフトキャップハギ片、前記下層ソフトキャップハギ片、前記ソフトキャップ縁片中そのうちどちらか、または両者が組み合わさった外側に分布することを特徴とする請求項７記載のソフトキャップ構造。
【考案の詳細な説明】
【技術分野】
【０００１】
本考案は、児童や幼児がかぶるためのソフトキャップ構造に関するもので、用於緩衝頭部がぶつかった時の衝撃力を和らげ、更にロープを可動形態で結んで帽体の形体を保ち、ＤＩＹで帽体を成形する過程において親子関係を促進する。
【背景技術】
【０００２】
頭部は人にとって、非常に重要な部位であるため、市場ではヘルメットなど人の頭部を衝撃から保護するものが販売されている。
【０００３】
また、児童、幼児の頭部は非常に弱く、且つ一般の成年と比較して児童幼児の心理成熟度は低いため、頭部保護の概念は未成熟である。そのため、様々な環境において頭部が衝撃を受けやすい。また市場のヘルメットは一般に大人向け設計で幼児、児童には対応しにくい。また幼兒、兒童に対応する少数のヘルメットはいい加減な設計であり、幼兒、兒童の心理を考慮していない。よって、幼兒、兒童はかぶっていても不快なため自ら脱いでしまい、遊んでいるときに頭部に衝撃を受けた場合、何の保護もないため、まともに衝撃を受けてしまうことがある。
【考案の概要】
【考案が解決しようとする課題】
【０００４】
本考案は児童、幼児が頭部にかぶることで，頭部に受けた衝撃力を和らげることができ、且つロープの可動形態の結びによって帽体の形体を保ち、児童、幼児が保護者とともに結んだり、外したりすることで、本考案が物を大切にする心を育て、更には頭部を保護するソフトキャップ構造を提供することを本考案の課題とする。
【課題を解決するための手段】
【０００５】
上述の目的と効果を達成するため、本考案はソフトキャップ構造を提供する。そのうち、該ソフトキャップ本体はソフトシート状本体、複数のロープを含み、該ソフトキャップ本体はキャップ頭頂点を位置づける。該ソフトシート状本体は、バイザー、キャップ縁部および複数のハギ部を含み、該キャップ縁部は長方形状で、該キャップ縁部で着用口を包囲形成し、該キャップ縁部の最上端は該複数のハギ部が間隔を開けて延長する。各ハギ部の幅は、底端から最上端へ錐体片形状で徐々に縮小し、該複数のハギ部はそれぞれキャップ縁部からキャップ頭頂点へ向けて湾曲する。該複数のハギ部と該キャップ縁部は包囲して被覆し、頭部着用空間を形成する。該バイザーは円弧片形状で、該バイザーの両端は該キャップ縁部底端から外側に向けて湾曲延長して形成する。該バイザーは該キャップ縁部の一側に向けて上向きに湾曲する支持段を有する。該支持段は該キャップ縁部外側に当接し，他に複数のロープ孔は各ハギ部の相互辺縁、該キャップ縁部と該バイザーが相互に向かい合う辺縁、該支持段に間隔をあけて分布設置し、該複数のロープ孔は該ソフトキャップ本体の形体を保つため、可動形態で紐結びされる該複数のロープが設けられる。
【０００６】
更に別の実施例を提供し、それはソフトキャップ構造である。そのうち、該ソフトキャップ本体は上層ソフトキャップハギ片、中層ソフトキャップハギ片、下層ソフトキャップハギ片、ソフトキャップ縁片およびソフトキャップバイザーを含む。該ソフトキャップ本体はキャップ頭頂点を位置づける。該ソフトキャップ縁片は細長形状で、該ソフトキャップ縁片は着用口を囲んで成形する。該下層ソフトキャップハギ片は細長形状で、該下層ソフトキャップハギ片底部は該ソフトキャップ縁片最上部に隣接し、且つ該下層ソフトキャップハギ片の底部から最上部は徐々に該キャップ頭頂点に向かって傾斜する。該中層ソフトキャップハギ片は細長形状で、該中層ソフトキャップハギ片底部は該下層ソフトキャップハギ片最上部に隣接する。更に該中層ソフトキャップハギ片の底部から最上部は該キャップ頭頂点に向かって徐々に傾斜し最上口を包囲する。該上層ソフトキャップハギ片は円形片で、該上層ソフトキャップハギ片は該最上口で封じ、該ソフトキャップバイザーは円弧片形状で、その一側は内湾曲側とする。該内湾曲側は該ソフトキャップ縁片底部外側に当接し、他に複数のロープ孔は該上層ソフトキャップハギ片辺縁、該中層ソフトキャップハギ片の最上、底部辺縁、該下層ソフトキャップハギ片の最上、底部辺縁、該ソフトキャップ縁片最上部辺縁、該ソフトキャップ縁片と該ソフトキャップバイザーが互いに隣接する辺縁に間隔を開けて分布し，該複数のロープ孔は該ソフトキャップ本体の形体を保つため、可動形態で紐結びされる該複数のロープが設けられる。
【図面の簡単な説明】
【０００７】
【図１】本考案の立体表示図である。
【図２】本考案の別角度からの立体指示図である。
【図３】本考案のソフトシート状本体が板枠から分離される前の指示図である。
【図４】本考案のソフトシート状本体が板枠から分離された後の指示図である。
【図５】本考案のソフトシート状本体にロープが結ばれた指示図一である。
【図６】本考案のソフトシート状本体にロープが結ばれた指示図二である。
【図７】本考案を児童頭部に着用した指示図である。
【図８】本考案のサイズ調整の指示図である。
【図９】本考案に弾性あご紐を設けた指示図である。
【図１０】本考案に強化クッションを設けた指示図である。
【図１１】本考案にお絵かきエリアを設けた指示図である。
【図１２】本考案の別実施例の立体表示図である。
【図１３】本考案の別実施例の別角度からの立体指示図である。
【図１４】本考案の別実施例の各片体が板枠から分離される前の指示図である。
【図１５】本考案の別実施例の各片体が板枠から分離された後の指示図である。
【図１６】本考案の別実施例の各片体にロープが結ばれた指示図一である。
【図１７】本考案の別実施例の各片体にロープが結ばれた指示図二である。
【図１８】本考案の別実施例を児童頭部に着用した指示図である。
【図１９】本考案の別実施例に弾性あご紐を設けた指示図である。
【図２０】本考案の別実施例に強化クッションを設けた指示図である。
【図２１】本考案の別実施例にお絵かきエリアを設けた指示図である。
【考案を実施するための形態】
【０００８】
（第一実施形態）
図１から図２に示すソフトキャップ構造において、そのうち、該ソフトキャップ本体はソフトシート状本体１、複数のロープ６を含み、該ソフトキャップ本体はキャップ頭頂点４を位置づける。該ソフトシート状本体１は、バイザー１１、キャップ縁部１２および複数のハギ部１５を含み、該キャップ縁部１２は長方形状で、該キャップ縁部１２は着用口１３を包囲形成し、該キャップ縁部１２の最上端は該複数のハギ部１５が間隔を開けて延長する。各ハギ部１５の幅は、底端から最上端へ錐体片形状で徐々に縮小し、該複数のハギ部１５はそれぞれキャップ縁部１２からキャップ頭頂点４へ向けて湾曲する。該複数のハギ部１５と該キャップ縁部１２は包囲被覆し頭部着用空間３を形成する。該バイザー１１は円弧片形状で、該バイザー１１の両端は該キャップ縁部１２底端から外側に向けて湾曲延長して形成する。該バイザー１１は該キャップ縁部１２の一側に向けて上向きに湾曲する支持段１１１を有する。該支持段１１１は該キャップ縁部１２外側に当接する。他に複数のロープ孔５は各ハギ部１５の相互辺縁、該キャップ縁部１２と該バイザー１１が相互に向かい合う辺縁、該支持段１１１に間隔をあけて分布設置し、該複数のロープ孔５は該ソフトキャップ本体の形体を保つため、可動形態で紐結びされる該複数のロープ６が設けられる。
【０００９】
ソフトシート状本体１はシリコンゴム、ポリウレタンフォーム等ソフト材であるため、衝撃力を有効に吸収する。
【００１０】
ロープ孔５は機械で穿孔、または手で穿孔してもよい。
【００１１】
該キャップ頭頂点４は図１に表示した位置を例とする（帽体の碗形状構造の中心最上端）。
【００１２】
ソフトシート状本体１はソフトシート状物品を裁断して構成する。例として図３に示すのはソフトシート状物品は裁断後に成形して展開したソフトシート状本体１および板枠１００であり、次に図４に示すのはソフトシート状本体１を板枠１００から分離し即ちロープ６を紐結び開始できる状態であり、紐結び過程は図５に示し（隣接するハギ部１５を紐結びする）、図６（バイザー１１とキャップ縁部１２を紐結びする）で見本を示す。更に児童、幼児が自分でロープ６を紐結びして本考案を完成するのは困難であるため、一般には保護者の協力で完成し、且つ完成後使用しない時にはロープ６を取り除いてソフトシート状本体１を展開すれば便利に収納できる。また使用時には再度保護者が児童、幼児に付き添い完成させることで親子交流を促進するほか、手で行う方式では児童、幼児の本考案への愛着を高め、好んで着用するようになる。更に図７に示すとおり頭部にかぶることで、ソフトシート状本体１のソフト特性によって頭部をぶつけたときの衝撃を緩和する。
【００１３】
支持段１１１の構造はバイザー１１を更に真っ直ぐにしてたるみにくくする。その他、支持段１１１がキャップ縁部１２外側を押さえ、バイザー１１が下方向へ衝撃を受けた時支持段１１１の押さえによって翻りにくく、バイザー１１の直線を保つ。
【００１４】
他に、図８が示すのは、裁断された図式に示す点線部分によって頭部着用空間３の大きさを調整する。
【００１５】
図３、４、９に示すとおり、本考案は更に弾性あご紐７、ソフトストッパー７１を含む。該ソフトストッパー７１は二個のストッパー用孔８を穿設し、該弾性あご紐７は該二個のストッパー用孔８に通し、他に二個のあご紐連結孔１４はそれぞれ該キャップ縁部１２両側に分布し、該弾性あご紐７の両端をそれぞれ該二個のあご紐連結孔１４に通して結ぶ。この構造によって本考案を着用時、キャップを落としにくく、また弾性あご紐７は異なる大きさの頭のサイズにも適応でき、ソフトストッパー７１の構造によって着用時に更に快適に着用できる。
【００１６】
図１１に示すとおり、そのうち該ソフトシート状本体１外側はお絵かきエリア９であり、児童、幼児が自分の好きな絵を描くエリアを提供する。
【００１７】
図１から図１１に示すとおり、他に複数の通気孔１６は該複数のハギ部１５、キャップ縁部１２のうちのどちらかに分布するか、または前述二者の両者に該複数の通気孔１６が分布され、通気性を高めるのに用いる。
【００１８】
図１０に示すとおり、本考案は更に複数の強化クッション２００を含む。該複数の強化クッション２００は該複数のハギ部１５、該キャップ縁部１２のうちのどちらか、または両者の外側に分布し、且つ該複数の強化クッション２００はそれぞれ複数のクッション通孔２０１を有し、該複数のロープ６が該複数のクッション通孔２０１から該複数の通気孔１６を通じ可動形態で紐結びされる。該複数の強化クッション２００は裁断した板枠１００に依る。この構造によって本考案の防護力が強化される。また本実施例では六個の通気孔１６を有する各ハギ部１５、四個のクッション通孔２０１を有する各強化クッション２００を例とする。各強化クッション２００は必要に応じて異なる位置の通気孔１６で位置を上下調節する。
【００１９】
図２、３に示すとおり、そのうち該バイザー１１と該支持段１１１の間は分離切り線１１１１を有し、その分離切り線１１１１は支持段１１１の湾曲を補助する。
（第二実施形態）
【００２０】
他の実施例を提供する。図１２、図１３に示すのは、ソフトキャップ構造である。そのうち、該ソフトキャップ本体は上層ソフトキャップハギ片２１、中層ソフトキャップハギ片２２、下層ソフトキャップハギ片２３、ソフトキャップ縁片２４およびソフトキャップバイザー２５を含む。該ソフトキャップ本体はキャップ頭頂点４を位置づける。該ソフトキャップ縁片２４は細長形状で、該ソフトキャップ縁片２４は着用口１３を囲んで成形し、該下層ソフトキャップハギ片２３は細長形状で、該下層ソフトキャップハギ片２３底部は該ソフトキャップ縁片２４最上部に隣接し、且つ該下層ソフトキャップハギ片２３の底部から最上部は徐々に該キャップ頭頂点４に向かって傾斜する。該中層ソフトキャップハギ片２２は細長形状で、該中層ソフトキャップハギ片２２底部は該下層ソフトキャップハギ片２３最上部に隣接し、且つ該中層ソフトキャップハギ片２２の底部から最上部は該キャップ頭頂点４に向かって徐々に傾斜し最上口２２１を包囲する。該上層ソフトキャップハギ片２１は円形片で、該上層ソフトキャップハギ片２１は該最上口２２１で封じ、該ソフトキャップバイザー２５は円弧片形状で、その一側は内湾曲側２５１とする。該内湾曲側２５１は該ソフトキャップ縁片２４底部外側に当接する。他に複数のロープ孔５は該上層ソフトキャップハギ片２１辺縁、該中層ソフトキャップハギ片２２の最上、底部辺縁、該下層ソフトキャップハギ片２３の最上、底部辺縁、該ソフトキャップ縁片２４の最上部辺縁、該ソフトキャップ縁片２４と該ソフトキャップバイザー２５が互いに隣接する辺縁に間隔を開けて分布し，該複数のロープ孔５は該ソフトキャップ本体の形体を保つため、可動形態で該複数のロープ６が設けられ，且つ頭部着用空間３を包む。
【００２１】
上層ソフトキャップハギ片２１、中層ソフトキャップハギ片２２、下層ソフトキャップハギ片２３、ソフトキャップ縁片２４およびソフトキャップバイザー２５はシリコンゴム、ポリウレタンフォーム等ソフト材であり、衝撃力を有効に緩衝する。
【００２２】
ロープ孔５は機械で穿孔、または手で穿孔してもよい。
【００２３】
該キャップ頭頂点４は図１２に示す表示位置（帽体の碗形状構造の中心最上端）である。
【００２４】
上層ソフトキャップハギ片２１、中層ソフトキャップハギ片２２、下層ソフトキャップハギ片２３、ソフトキャップ縁片２４およびソフトキャップバイザー２５は、すべてソフトシート状物品を裁断して構成する片体で、例として図１４に示すのはソフトシート状物品を裁断後に成形展開した各片体および板枠１００であり、その後図１５に示すのは各片体を板枠１００から分離し、それは即ちロープ６で結べるようにした状態で、紐結び過程は図１６（ソフトキャップ縁片２４から紐結びを開始する）、図１７（ソフトキャップバイザー２５をソフトキャップ縁片２４に紐結びする）を以て見本とする。長所は前の一実施例と同じく，手作の方法により児童、幼児が本考案を好むレベルが高まり更に好んで帽子をかぶりたがる。更に図１８のように頭部にかぶった後，各片体のソフト素材により、誤って頭部をぶつけてしまったときの衝撃力を和らげる。
【００２５】
図１９に示すとおり、本考案は更に弾性あご紐７、ソフトストッパー７１を含む。該ソフトストッパー７１は二個のストッパー用孔８を穿設し、該弾性あご紐７は該二個のストッパー用孔８に通し、他に二個のあご紐連結孔１４は該ソフトキャップ縁片２４の二側にそれぞれ分布し、該弾性あご紐７の両端をそれぞれ該二個のあご紐連結孔１４に通して結ぶ。この構造によって着用時に安定し、キャップが落ちにくくなり、また弾性あご紐７は異なる大きさの頭のサイズにも適応でき、ソフトストッパー７１の構造は着用時に更に快適となる。
【００２６】
図２０に示すとおり、本考案は更には複数の強化クッション２００を含み、該複数の強化クッション２００は該上層ソフトキャップハギ片２１、該中層ソフトキャップハギ片２２、該下層ソフトキャップハギ片２３、該ソフトキャップ縁片２４中のうちどちらか、または両者が組み合わさった外側に分布する。複数の強化クッション２００は裁断した板枠１００に依り、この構造は本考案の防護力を強化する。
【００２７】
図２１に示すとおり、そのうち該上層ソフトキャップハギ片２１、該中層ソフトキャップハギ片２２、該下層ソフトキャップハギ片２３、該ソフトキャップ縁片２４および該ソフトキャップバイザー２５外側はそれぞれお絵かきエリア９を有し、児童、幼児が自分の好きな絵を描くエリアを提供する。
【符号の説明】
【００２８】
１        ソフトシート状本体
１１        バイザー
１１１        支持段
１１１１        分離切り線
１２        キャップ縁部
１３        着用口
１４        あご紐連結孔
１５        ハギ部
１６        通気孔
２１        上層ソフトキャップハギ片
２２        中層ソフトキャップハギ片
２２１        最上口
２３        下層ソフトキャップハギ片
２４        ソフトキャップ縁片
２５        ソフトキャップバイザー
２５１        内湾曲側
３        頭部着用空間
４        キャップ頭頂点
５        ロープ孔
６        ロープ
７        弾性あご紐
７１        ソフトストッパー
８        ストッパー用孔
９        お絵かきエリア
１００        板枠
２００        強化クッション
２０１        クッション通孔
【図１】
0003228855.tif 000003
【図２】
0003228855.tif 000004
【図３】
0003228855.tif 000005
【図４】
0003228855.tif 000006
【図５】
0003228855.tif 000007
【図６】
0003228855.tif 000008
【図７】
0003228855.tif 000009
【図８】
0003228855.tif 000010
【図９】
0003228855.tif 000011
【図１０】
0003228855.tif 000012
【図１１】
0003228855.tif 000013
【図１２】
0003228855.tif 000014
【図１３】
0003228855.tif 000015
【図１４】
0003228855.tif 000016
【図１５】
0003228855.tif 000017
【図１６】
0003228855.tif 000018
【図１７】
0003228855.tif 000019
【図１８】
0003228855.tif 000020
【図１９】
0003228855.tif 000021
【図２０】
0003228855.tif 000022
【図２１】
0003228855.tif 000023